【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
電子情報交換所及び第２の電子機器にネットワークを介して接続された第１の電子機器のメモリの中の第１の安全コンテナに格納された情報コンテンツの少なくとも１つの使用に関係する支払処理を行うための電子情報交換所を操作する方法であって、
前記電子情報交換所の通信ポートで、前記第１の安全コンテナに格納された前記情報コンテンツの少なくとも１つの使用に少なくとも部分的に関連し、かつ、前記第１の安全コンテナの中の情報コンテンツに対する前記第１の電子機器によるアクセス、復号化、複製、印刷、再分配の少なくとも１つの使用回数、使用データ量、使用時間の少なくとも１つを含む使用情報を前記第１の電子機器から受信するステップと、
前記電子情報交換所のメモリの中の前記使用情報を格納するステップと、
前記電子情報交換所のプロセッサが、前記電子情報交換所のメモリの中に格納された前記使用情報の少なくとも部分に基づいて支払を決定するステップと、
前記電子情報交換所のプロセッサが、前記第２の電子機器又はそのユーザに前記支払の送信をする取引プロセスを実行するステップであって、前記取引プロセスは、前記電子情報交換所の通信ポートを介して前記第２の電子機器に対して前記支払を含む第２の安全コンテナの送信処理、前記電子情報交換所の通信ポートを介して前記第２の電子機器に関係するエンティティの１つ以上のクレジットカードへの信用貸し処理、前記第２の電子機器のユーザの銀行口座にクレジットを介した資金の転送処理、の少なくとも一つにより実行され、
を有することを特徴とする電子情報交換所の操作方法。
【請求項２】
前記使用情報に少なくとも部分的に基づいて前記第２の電子機器により前記情報コンテンツの使用の報告を生成するステップと、
前記決定ステップに少なくとも部分的に基づいて前記使用の報告を作成するステップと、
前記電子情報交換所の通信ポートを介して前記第２の電子機器に前記報告の少なくとも１つを送信するステップと、
をさらに有する請求項１に記載の電子情報交換所の操作方法。
【請求項３】
前記第１の安全コンテナは、少なくとも幾つかの暗号化された情報を含む請求項１又は２に記載の電子情報交換所の操作方法。
【請求項４】
前記第１の電子機器による前記第１の安全コンテナに含まれる情報コンテンツの少なくとも１つの使用は、前記情報コンテンツの使用に関連する制御情報によって管理される請求項１〜３のいずれか一項に記載の電子情報交換所の操作方法。
【請求項５】
前記第１の電子機器の通信ポートで、前記第１の安全コンテナから離れた制御情報を受信するステップをさらに有する請求項４に記載の電子情報交換所の操作方法。
【請求項６】
前記第１の電子機器は、前記ネットワークを介してさらに第３の電子機器と接続され、
前記制御情報は、前記第２の電子機器及び第３の電子機器の少なくとも１つから前記ネットワークを介して前記第１の電子機器に送信される請求項４又は５に記載の電子情報交換所の操作方法。
【請求項７】
前記制御情報を、前記電子情報交換所の通信ポートで受信するステップをさらに有し、
前記制御情報は、前記支払決定ステップ及び取引プロセス実行ステップの少なくとも１つを、少なくとも部分的に管理する請求項４〜６のいずれか一項に記載の電子情報交換所の操作方法。
【請求項８】
前記制御情報は、前記第１の電子機器における保護された処理環境に格納される請求項４〜７のいずれか一項に記載の電子情報交換所の操作方法。
【請求項９】
前記保護された処理環境は、前記制御情報の改ざんから、前記少なくとも１つの安全コンテナの受信機器の能力を妨げる請求項８に記載の電子情報交換所の操作方法。
【請求項１０】
前記第１の電子機器による前記情報コンテンツの使用は、組合せて適応される複数の前記制御情報によって管理される請求項４〜６のいずれか一項に記載の電子情報交換所の操作方法。
【請求項１１】
前記使用情報は、前記第１の電子機器による前記第１の安全コンテナの前記情報コンテンツの使用の記録、前記第１の電子機器が前記情報コンテンツにアクセスした日付、前記第１の電子機器が前記情報コンテンツにアクセスした時間の少なくとも１つを含む請求項１〜１０のいずれか一項に記載の電子情報交換所の操作方法。
【請求項１２】
前記支払の送信をする取引プロセスは、前記第２の電子機器により示されるプリファレンス情報に少なくとも部分的に基づいて事項される請求項１〜１１のいずれか一項に記載の電子情報交換所の操作方法。
【請求項１３】
前記制御情報は、出版物に関する前記情報コンテンツの中の各記事への前記第１の電子機器の使用を記録する計量メソッドを含み、
前記使用情報は、前記計量メソッドから出力される計量データを含み、
前記支払決定ステップは、前記計量データに少なくとも部分的に基づく請求項４〜１２のいずれか一項に記載の電子情報交換所の操作方法。
【請求項１４】
前記制御情報は、前記第１の電子機器による情報コンテンツの使用に対して定額料金を適応する定額料金メソッドを含み、
前記使用情報は、前記定額料金メソッドへの入力データを含み、
前記支払決定ステップでは、前記支払は、前記入力データと前記定額料金メソッドにより決定される請求項７〜１３のいずれか一項に記載の電子情報交換所の操作方法。
【請求項１５】
前記制御情報は、前記第１の電子機器により表示される広告を画面表示する画面表示メソッドを含み、
前記使用情報は、使用回数、使用データ量、及び使用時間に少なくとも部分的に関連し、
前記支払決定ステップは、前記使用情報に少なくとも部分的に基づく請求項７〜１４のいずれか一項に記載の電子情報交換所の操作方法。
【請求項１６】
情報コンテンツを有する安全コンテナを受信する第２の電子機器、及び、第３の電子機器にネットワークを介して接続され、かつ、電子情報交換所として機能する第１の電子機器であって、
前記第２の電子機器から前記安全コンテナの情報コンテンツに対する前記第２の電子機器によるアクセス、復号化、複製、印刷、及び再配布の少なくとも１つの使用に少なくとも部分的に関連する使用回数、使用データ量、使用時間の少なくとも１つを含む使用情報を、前記ネットワークを介して受信する受信手段と、
前記使用情報に少なくとも部分的に基づいて、前記第２の電子機器のための支払を決定する支払決定手段と、
前記第３の電子機器又はそのユーザへ支払をする取引プロセスを実行する手段であって、前記取引プロセスは、前記支払を含む第２の安全コンテナを前記ネットワークを介した前記第３の電子機器への送信、前記第３の電子機器のユーザの一以上のクレジットカードに資金の入金、前記第３の電子機器のユーザの銀行口座へダイレクトクレジットを用いた、前記ネットワークを介した資金の転送、のいずれか１つにより達成され、
を有することを特徴とする第１の電子機器。
【請求項１７】
前記第１の安全コンテナは、少なくとも幾つかの暗号化された情報を含む請求項１６に記載の第１の電子機器。
【請求項１８】
前記第２の電子機器による前記第１の安全コンテナの情報コンテンツの使用は、制御情報により管理される請求項１６又は１７に記載の第１の電子機器。
【請求項１９】
前記第１の安全コンテナは、前記第１の安全コンテナに含まれる情報コンテンツの前記第２の電子機器による使用を管理する制御情報を含む請求項１６〜１８のいずれか一項に記載の第１の電子機器。
【請求項２０】
前記第２の電子機器は、前記第１の安全コンテナから分かれた前記制御情報の少なくとも部分を受信する請求項１８に記載の第１の電子機器。
【請求項２１】
前記ネットワークを介してさらに第４の電子機器と接続し、
前記制御情報は、前記第３及び第４の電子機器の少なくとも１つから前記第２の電子機器に送信される請求項１９又は２０に記載の第１の電子機器。
【請求項２２】
前記制御情報は、前記決定手段及び実行手段の少なくとも１つの処理を、少なくとも部分的に管理する請求項１９〜２１のいずれか一項に記載の第１の電子機器。
【請求項２３】
前記第２の電子機器による前記情報コンテンツの少なくとも部分の少なくとも１つの使用は、制御情報の複数の組合せによって制御される請求項１８〜２０のいずれか一項に記載の第１の電子機器。
【請求項２４】
前記第３の電子機器又はそのユーザへの支払となる前記取引プロセス実行手段は、前記第３の電子機器により示されるプリファレンス情報に基づく取引プロセスを少なくとも実行する請求項１６〜２３のいずれか一項に記載の第１の電子機器。
【請求項２５】
前記制御情報は、前記第２の電子機器が使用する出版物データに関連する情報コンテンツ内の各記事を記録する計量メソッドを含み、
前記使用情報は、前記計量メソッドから出力される計量データを含み、かつ、
前記支払決定手段の処理は、前記計量データに少なくとも部分的に基づく請求項１６〜２４のいずれか一項に記載の第１の電子機器。
【請求項２６】
前記制御情報は、前記第２の電子機器による前記情報コンテンツの使用に対して定額料金を適応する定額料金メソッドを含み、
前記使用情報は、前記定額料金メソッドからの定額料金データ出力を含み、
前記支払決定手段は、前記定額料金データに少なくとも部分的に基づいて前記支払を決定する請求項１６〜２５のいずれか一項に記載の第１の電子機器。
【請求項２７】
前記制御情報は、前記第２の電子機器のユーザへの広告を画面表示する画面表示メソッドを含み、
前記使用情報は、使用回数、使用データ量、及び使用時間に少なくとも部分的に関連し、
前記支払決定手段の処理は、前記使用情報に少なくとも部分的に基づく請求項１６〜２６のいずれか一項に記載の第１の電子機器。